(57)【要約】【課題】  商品を展示陳列する際に展示・陳列・補充作業を効率的に行えるような陳列ケースを開発すること。【解決手段】  本発明の商品陳列吊下げケース１は、入れる商品の形状、に対応させて形成した陳列ケース本体２と、商品陳列棚のバーに商品が陳列ケース本体に入ったまま引っ掛け吊下げる係止部３と、からなることを特徴とする。また、本発明の商品陳列吊下げケース１は、陳列ケース本体２の前面部分５が、商品の内容を説明する等のＰＯＰ表示用スペース８と、プライスカード等を挿入できるプライスカード挿入部６と、で構成されていることを特徴とし、本発明の商品陳列吊下げケース１は、陳列ケース本体２に、商品形状に合わせて、適時仕切板４を設けていることを特徴とする。【選択図】図４
2015009132.tif 000002
【特許請求の範囲】
【請求項１】
商品の形状に対応させて形成した陳列ケース本体と、商品を陳列ケース本体に入れた状態で商品陳列棚のバーに引っ掛け吊下げる係止部と、からなることを特徴とする商品陳列吊下げケース。
【請求項２】
係止部が商品陳列ケース本体の背面の横幅に対してほぼ全部に設けられていることと、係止部がケースの下方に行くにしたがって本体側に近づいていき係止部は商品陳列棚のバーの上下の長さよりも長く設定されていること、を特徴とする請求項１の商品陳列吊下げケース。
【請求項３】
陳列ケース本体の前面部分は、商品の内容を説明するＰＯＰ等を貼り付けるための表示用と、プライスカード等を挿入できるプライスカード挿入部と、で構成されていることを特徴とする請求項１の商品陳列吊下げケース。
【請求項４】
陳列ケース本体には商品の幅に合わせて適時仕切板を設けていることを特徴とする請求項１の商品陳列吊下げケース。
【請求項５】
陳列した商品の上部が係止部より上に位置するように陳列ケース本体を形成したことを特徴とする請求項１の商品陳列吊下げケース。
【請求項６】
全体が透明なプラスチックで構成されていることを特徴とする請求項１の商品陳列吊下げケース。
【発明の詳細な説明】
【技術分野】
【０００１】本発明は、商品陳列棚のバーに引っ掛けて使用する商品陳列吊下げケースに関するものです。
【背景技術】
【０００２】商品陳列棚に対して、従来からある商品の陳列形態は、図８や図９に図示されているような形態がある。【０００３】図８に示されている陳列形態は、商品陳列棚１０２に配設されたバー１００−１，１００−２，１００−３，・・・１００−ｎ，にフック１０１−１，１０１−２，１０１−３，・・・１０１−ｎ，を横並びに複数引っ掛けて、それぞれのフック１０１に商品Ｘを吊下げて、展示・陳列する形態である。【０００４】また、図９に示されている陳列形態は、多数個のフック１０６−１，１０６−２に商品Ｙを陳列した板紙製や段ボール紙製やプラスチックシート製などの台紙１０５をその上端に設けたヒモ１０４により、商品陳列棚１０２のフック１０１などに吊下げて展示・陳列する形態である。
【発明の概要】
【発明が解決しようとする課題】
【０００５】しかしながら、図８の陳列形態は、商品陳列棚に梱包ケースに箱詰めされている商品Ｘを展示・陳列する場合、商品陳列棚のバーにフックを引っ掛け、梱包ケースから商品を一つずつ取り出して、そのフックに商品を一つずつ吊下げて、商品を展示・陳列することになり、効率が非常に悪かった。【０００６】また、図８に示すような商品陳列形態では、商品のプライスカードや、商品の特徴をアピールするためのＰＯＰ等の貼付箇所のスペースを別途確保し、設ける必要があった。【０００７】さらに、図８の商品陳列の場合、追加商品補充時の際、古い商品を手前にするために、一度古い商品をフックから取り外して、新しい商品を先に吊下げた後、古い商品をフックに吊下げる必要があり、商品補充に作業の手間や時間がかかった。【０００８】図８の商品陳列の場合、フックとフックの間のスペースを商品サイズ分確保しなければ、商品と商品が重なったりして、見栄えよく商品を展示・陳列することができないので、商品の展示数がその分限定されてしまっていた。【０００９】図９に示すような陳列形態の場合、商品がフックからはずれ落ちたり、バラバラになったりする場合があった。
【課題を解決するための手段】
【００１０】このような課題を解決するために、本発明の商品陳列吊下げケースは、商品の形状に対応させて形成した陳列ケース本体と、商品を陳列ケース本体に入れた状態で商品陳列棚のバーに引っ掛け吊下げる係止部と、からなることを特徴とする。【００１１】また、本発明の商品陳列吊下げケースは、係止部が商品陳列ケース本体の背面の横幅に対してほぼ全部に設けられていることと、係止部がケース本体の下方に行くにしたがって本体側に近づいていき係止部は商品陳列棚のバーの上下の長さよりも長く設定されていることを、特徴とする。【００１２】また、本発明の商品陳列吊下げケースは、陳列ケース本体の前面部分が、商品の内容を説明するＰＯＰ等を貼り付けるための表示用スペースと、プライスカード等を挿入できるプライスカード挿入部と、で構成されていることを特徴とする。【００１３】また、本発明の商品陳列吊下げケースは、陳列ケース本体に、商品の幅に合わせて適時仕切板を設けていることを特徴とする。【００１４】また、本発明の商品陳列吊下げケースは、陳列した商品の上部が係止部より上に位置するように陳列ケース本体を形成したことを特徴とする。【００１５】また、本発明の商品陳列吊下げケースは、全体が透明なプラスチックで構成されていることを特徴とする。
【発明の効果】
【００１６】商品の形状、大きさに対応して作成された商品陳列吊下げケースに商品を入れた状態で搬送することができ、商品が商品陳列吊下げケースに入った状態で梱包ケースから取り出しそのまま商品陳列棚のバーに引っ掛けるだけで展示・陳列することができるので、展示・陳列作業の手間や時間が非常に効率よくなった。【００１７】本発明の商品陳列吊下げケースは、上部から商品を補充するため、古い商品はそのままの状態でケースの奥に新しい商品を補充することが可能となった。また、その分補充作業の効率がよくなった。【００１８】係止部が商品陳列吊下げケース本体の背面横幅全部に設けられており、その係止部がケース本体下方に行くにしたがって、本体側に近づいていき、係止部がバーの上下の長さよりも長く設定されているので、重量のある商品を商品陳列吊下げケースに陳列しても、しっかりとバーに引っ掛けて展示・陳列することができる。【００１９】商品陳列吊下げケースには、商品特徴などをアピールできるＰＯＰ表示用スペースやプライスカード挿入部とを設けている為、従来の陳列形態では別途設ける必要があった、プライスカード掲示スペースや宣伝ＰＯＰスペースを確保することなく商品の展示・陳列が可能となった。【００２０】商品の形状に合わせて適時仕切板を設けているので、商品がバラバラになったり隣接する商品同士が重なり合ったりすることなく、展示・陳列が可能となった。【００２１】陳列した商品の上部が係止部より上に位置するようにケース本体を構成したので、商品陳列棚に対する商品の展示数を増やすことが可能となった。【００２２】商品陳列吊下げケースが透明な素材なので、商品パッケージデザインを邪魔することなく、展示・陳列が可能となった。
【図面の簡単な説明】
【００２３】
【図１】  本発明の第１の実施例の正面図である。
【図２】  図１のＡ−Ａ線における断面図である。
【図３】  本発明の第１の実施例の平面図である。
【図４】  本発明の商品陳列吊下げケースに商品が入れられている図面である。
【図５】  （ａ）本発明の商品陳列吊り下げケースを商品陳列棚に吊下げた図面である。（ｂ）は（ａ）の一部拡大図である。
【図６】  本発明の第２の実施例の正面図である。
【図７】  本発明の第３の実施例の正面図である。
【図８】  従来の陳列形態を表した図面である。
【図９】  図８とは異なる従来の陳列形態を表した図面である。
【発明を実施するための形態】
【００２４】以下に、本発明の商品陳列吊下げケースの第１の実施例を図１及至図３を用いて説明する。図１は第１の実施例の正面図であり、図２は図１のＡ−Ａ線における断面図であり、図３は第１の実施例の平面図である。
【００２５】本発明の商品陳列吊下げケース１は、入れる商品の形状に対応させて形状した陳列ケース本体２と、商品陳列棚のバーに商品が陳列ケース本体に入ったまま引っ掛けて吊下げる係止部３とからなる。本発明の商品陳列吊下げケース１は透明なプラスチック、例えば塩化ビニール、耐衝撃性ポリスチレン、アクリル、Ａ−ＰＥＴとしている。透明な材質を使用しているので商品が良く見える。
【００２６】陳列ケース本体２は、展示・陳列する商品の形状に対応させて形成されている。そして、陳列した商品の上部が係止部より上に位置するように陳列ケース本体２は形成されている。〔図４参照〕陳列ケース本体２の背面ほぼ横幅全部に係止部が設けられている。
【００２７】陳列ケース本体２の前面部分５には、前面部分５の上半分には商品の特徴をＰＲする等のＰＯＰ表示用スペース８を設け、前面部分５の下半分にはプライスカード等を挿入するプライスカード挿入部６を設けた構成にしている。尚、プライスカードをプライスカード挿入部６に挿入する以外に、プライスカード挿入部６の前面に貼り付けても良い。
【００２８】陳列ケース本体２には、商品Ｘの横幅に合わせて・・・仕切板４，４，４・・・が必要に応じて設けられている。〔図４参照〕
【００２９】係止部３は図２から判るように、係止部がケース本体下方に行くにしたがって、凹部７が本体に近づくように構成されている。また、係止部３は商品陳列棚のバーの上下の長さよりも長く設定されている。〔図５参照〕
【００３０】次に本発明の商品陳列吊下げケース１の使用について図５に基づいて説明する。
図５（ａ）は、本発明の商品陳列吊り下げケースを商品陳列棚に吊下げた図面であり、（ｂ）は（ａ）の一部拡大図である。係止部がバーに対してケース本体背面横幅全部に設けられていて、その係止部がケース本体下方に行くにしたがって、本体側に近づいていき、係止部がバーの上下の長さより長く設定されているので、重量のある商品を商品陳列吊下げケースに陳列しても、しっかりとバーに引っ掛けて保持し、展示・陳列することができる。
【００３１】本発明の別の実施例について説明すると、図６は第２の実施例、図７は第３の実施例を表している。本発明の商品陳列吊下げケース１の横幅を統一させた時に、これらの実施例構成は第１の実施例とは商品の横幅や高さが異なる商品に対応させてケース本体の形状を異ならせている。
【符号の説明】
【００３２】１        商品陳列吊下げケース
２        陳列ケース本体
３        係止部
４        仕切板
５        前面部分
６        プライスカード挿入部
７        凹部
８        ＰＯＰ表示用スペース
１００    バー
１０１    フック
１０２    商品陳列什器
１０３    プライスカード表示部分
１０４    ヒモ
１０５    ディスプレイハンガー台紙
１０６    フック
Ｘ        展示陳列販売商品
Ｙ        展示陳列販売商品
【図１】
2015009132.tif 000003
【図２】
2015009132.tif 000004
【図３】
2015009132.tif 000005
【図４】
2015009132.tif 000006
【図５】
2015009132.tif 000007
【図６】
2015009132.tif 000008
【図７】
2015009132.tif 000009
【図８】
2015009132.tif 000010
【図９】
2015009132.tif 000011